【事件の表示】
　平成１１年特許願第２８８４７６号「パチンコ遊技機」拒絶査定不服審判事件〔平成１３年　４月１７日出願公開、特開２００１−１０４６０４〕について、次のとおり審決する。
【結　論】
　本件審判の請求は、成り立たない。
【理　由】
【１】手続の経緯
　本願は、平成１１年１０月８日に出願したものであって、平成１５年４月８日付けで拒絶査定がなされ、これに対し、同年５月１５日に拒絶査定に対する審判請求がなされるとともに同年６月１６日受付けで手続補正がなされたものである。
　　
　　
【２】平成１５年６月１６日受付けの手続補正についての補正の却下の決定
［補正の却下の決定の結論］
　平成１５年６月１６日受付けの手続補正（以下、「本件補正」という。）を却下する。
　　　　　
［理由］
〔１〕補正後の本願発明
　本件補正は、特許請求の範囲の請求項１〜３を次のとおりに補正することを含むものである。
　「【請求項１】供給皿本体と該供給皿本体の前方部を覆う装飾カバー部材とから打球供給皿を構成し、前記装飾カバー部材を膨出形状として空間領域部を形成し、該空間領域部に形成された凹溝状のレール部にパチンコ遊技を制御する制御回路基板を基板ボックスに収納して装着し、前記基板ボックスを装着した打球供給皿を前面枠の前面に設けるようにしたことを特徴とするパチンコ遊技機。
　【請求項２】余剰球を貯留する受皿本体と該受皿本体の前方部を覆う装飾カバー部材とから余剰球受皿を構成し、前記装飾カバー部材を膨出形状として空間領域部を形成し、該空間領域部に形成された凹溝状のレール部にパチンコ遊技を制御する制御回路基板を基板ボックスに収納して装着し、前記基板ボックスを装着した余剰球受皿を前面枠の前面に設けるようにしたことを特徴とするパチンコ遊技機。
　【請求項３】貯留されたパチンコ球を打球発射位置に一個ずつ供給する上球皿本体と、該上球皿本体から溢れた余剰球を貯留する下球皿本体と、前記上球皿本体及び下球皿本体の前方部を覆う装飾カバー部材とから球貯留皿を構成し、前記装飾カバー部材を膨出形状として空間領域部を形成し、該空間領域部に形成された凹溝状のレール部にパチンコ遊技を制御する制御回路基板を基板ボックスに収納して装着し、前記基板ボックスを装着した球貯留皿を前面枠の前面に設けるようにしたことを特徴とするパチンコ遊技機。」（補正後の請求項１に係る発明を、以下、「補正発明」という。）
　　
　上記補正は、請求項１〜３において、補正前の「空間領域部にパチンコ遊技を制御する制御回路基板を基板ボックスに収納して装着し」を、「空間領域部に形成された凹溝状のレール部にパチンコ遊技を制御する制御回路基板を基板ボックスに収納して装着し」と限定するものであり、特許請求の範囲の減縮を目的とするものであるから、上記補正発明が、その特許出願の際に独立して特許を受けることができるものであるか（平成１５年改正前特許法第１７条の２第５項の規定において準用する同法第１２６条第４項の規定に適合するか）否かについて、以下に検討する。
　　
　　
〔２〕引用刊行物とそれに記載された事項
　原査定における拒絶の理由で引用し、本願出願前に日本国内において頒布された刊行物である特開平１１−４２３４５号公報（以下、「刊行物」という。）には、弾球遊技機に関して、以下の事項が図面とともに記載されている。
１．「・・・図面はパチンコ機等のＣＲ機仕様の弾球遊技機を示し、図１乃至図３において、1は外枠、2は前枠で、外枠1の前側に上下一対のヒンジ3を介して開閉自在に枢着されている。4はガラス扉、5は前面板5で、これらは前枠2の窓孔に対応して上下に配置されている。・・・この遊技盤6の遊技領域の下側に前面板5が配置されている。7は発射用の遊技球を貯留する上皿で、前面板5の前側に装着され且つ上皿カバー8により覆われている。なお、この上皿7は球供給皿を構成し、また上皿カバー8は球供給皿カバーを構成している。9は下皿で、上皿7から溢流し又は抜き取った遊技球を受けるように、前面板5の下側で下皿カバー10と共に前枠2の前面下部に装着されている。」（段落【０００６】）
　　
２．「・・・上皿7は、前側に張り出し状に形成された貯留部19と、この貯留部19からの遊技球を横一列状に案内する球整列部20とを備え、球整列部20で遊技球を一列状に案内しながら球送り手段13側に供給するようになっている。上皿カバー8は、上皿7を前側及び下側から覆うように構成され、前面板5に前側から着脱自在に固定されている。上皿カバー8及び下皿カバー10の右側部分には、図４及び図５に示すように、前方に張り出す張り出し部21,22が一体に形成され、・・・」（段落【０００８】）
　　
３．「上皿カバー8の右側の張り出し部21・・・の傾斜部21aには、・・・開口24aが形成され、その開口24aを塞ぐように前側から傾斜カバー25が着脱自在に固定されている。なお、傾斜カバー25は、その外周側に形成された突起を上皿カバー8の張り出し部21側の取り付けボスに挿入して、取り付けボスの裏側からネジで固定されている。操作・表示部14は、図４乃至図１１に示すように構成されている。即ち、操作・表示部14は、図４乃至図７に示すように、傾斜カバー25の裏側に支持板26、プリント基板27及び受け板28を配置して成り、・・・」（段落【０００９】）
　　
４．「受け板28は、・・・図７乃至図１０に示すように、・・・左右両端から前側に突出する一対の側壁部40,41と、各側壁部40,41から前方に突出する係合部42,43と、各係合部42,43に対応する取り付けボス44,45と、各側壁部40,41から外方に突出する取り付け部46,47とを一体に備え、その取り付け部46,47が傾斜カバー25の左右一対の取り付けボス48,49にネジ50により着脱自在に固定されている。支持板26は、図７乃至図１１に示すように、・・・これらを取り囲むように裏側の外周側に周壁部54aを有し、その左右の周壁部54aに、受け板28の係合部42,43が係合する係合凹部54,55が形成され、また各係合凹部54,55の内側に取り付け部56,57が垂直状に形成されている。そして、支持板26は、・・・前下がり状の傾斜カバー25に沿った状態で傾斜状に配置され、左右の取り付け部56,57が取り付けボス44,45に螺合するネジ57aにより前側から受け板28に着脱自在に固定されている。」（段落【００１１】）
　　
５．「プリント基板27は、図７乃至図１０に示すように、受け板28の係合部42,43に対応する切り欠き部58,59を有し、左右両端部が支持板26の周壁部54aと受け板28の側壁部40,41との間で前後両側から挟持され、支持板26と略平行に傾斜状に配置されている。・・・」（段落【００１２】）
　　
　これら１．〜５．の記載及び図面の記載並びに当業者の技術常識によれば、刊行物には、以下の発明が記載されているものと認められる。
　「上皿7と該上皿7の前側及び下側を覆う上皿カバー8とから球供給皿を構成し、前記上皿カバー8の右側に傾斜カバー25を固定して開口24aを塞いでなる張り出し部21を形成し、該張り出し部21に固定した傾斜カバー25の裏側にパチンコ遊技を制御するプリント基板27を支持板26と受け板28との間で前後両側から挟持した状態で装着した球供給皿を、前枠2に配置した前面板5の前側に装着するようにしたパチンコ機。」（以下、「刊行物に記載の発明」という。）
　　
　　
〔３〕対比・判断
１．補正発明と刊行物に記載の発明との対比
　そこで、補正発明と刊行物に記載の発明とを対比すると、刊行物に記載の発明の「上皿7」，「上皿7の前側及び下側」，「上皿カバー8」，「球供給皿」，「右側に傾斜カバー25を固定して開口24aを塞いでなる張り出し部21を形成し」，「張り出し部21に固定した傾斜カバー25の裏側」，「プリント基板27」，「前枠2に配置した前面板5の前側に装着する」，「パチンコ機」が、補正発明の「供給皿本体」，「供給皿本体の前方部」，「装飾カバー部材」，「打球供給皿」，「膨出形状として空間領域部を形成し」，「空間領域部」，「制御回路基板」，「前面枠の前面に設ける」，「パチンコ遊技機」にそれぞれ相当するから、
　両者は、「供給皿本体と該供給皿本体の前方部を覆う装飾カバー部材とから打球供給皿を構成し、前記装飾カバー部材を膨出形状として空間領域部を形成し、該空間領域部にパチンコ遊技を制御する制御回路基板を装着した打球供給皿を前面枠の前面に設けるようにしたパチンコ遊技機。」の点で一致し、以下の点で相違する。
＜相違点１＞
　制御回路基板について、補正発明が、制御回路基板を基板ボックスに収納しているのに対し、刊行物に記載の発明では、制御回路基板（プリント基板27）を支持板26と受け板28との間で前後両側から挟持しているものの、これが基板ボックスに収納しているとはいえない点。
＜相違点２＞
　上記相違点１に関連して、制御回路基板の空間領域部への装着について、補正発明が、基板ボックスに収納した制御回路基板を空間領域部に形成された凹溝状のレール部に装着したのに対し、刊行物に記載の発明では、制御回路基板（プリント基板27）を基板ボックスに収納しているとはいえないとともに、凹溝状のレール部を介して装着していない点。
　　
２．相違点についての検討
＜相違点１について＞
　制御回路基板を基板ボックスに収納することは、例えば、特開平９−１６２５５６号公報（平面形状が矩形のケース４３により表面に多数の電子回路部品４１が実装された平面形状が矩形の回路基板４２を被って回路基板４２をケース４３内に封入するようにしたパチンコ遊戯機における電子回路ユニット４０が記載されている。段落【０００２】〜【０００４】及び図７，８の記載を参照。），特開平９−１０３５７１号公報（基板ボックス２８に内蔵されるようにしたパチンコ遊技機における制御回路基板が記載されている。段落【００２０】及び図６の記載を参照。），特開平６−２６９５３９号公報（箱体５１とカバー体６０とから組付構成された基板収納ボックス５０に収納するようにしたパチンコ遊技機における遊技制御回路基板７０が記載されている。段落【００１６】，【００１７】及び図２の記載を参照。）に示されているようにパチンコ遊技機の技術分野においては従来から周知の技術であり、しかも、このような周知の技術を、刊行物に記載の発明に適用することについては、何ら阻害要因を認めることができないから、補正発明の相違点１に係る構成は、刊行物に記載の発明における制御回路基板（プリント基板27）に、制御回路基板を基板ボックスに収納するというパチンコ遊技機の技術分野における周知の技術を適用することにより、当業者が容易に想到し得たものと認められる。
＜相違点２について＞
　基板ボックスに収納した制御回路基板を基板装着箇所に形成された凹溝状のレール部に装着することは、例えば、上記＜相違点１について＞で提示した、特開平９−１６２５５６号公報（多数の電子回路部品４１が実装された回路基板４２をケース４３内に封入してなる電子回路ユニット４０を、遊戯機４７内のハウジング４８に、電子回路ユニット４０のスライド片４６をハウジング４８のガイド溝５０に挿入することにより組み込むようにしたパチンコ遊戯機が記載されている。段落【０００２】〜【０００７】及び図７〜９の記載を参照。），特開平９−１０３５７１号公報（制御回路基板が内蔵された基板ボックス２８を、遊技機の取付枠３４に、基板ボックス２８のフランジ４４ａ，４４ｂ（摺動用レール）を取付枠３４のレール受用隙間に挿入することにより組み込むようにしたパチンコ遊技機が記載されている。段落【００１６】〜【００２０】及び図６の記載を参照。），特開平６−２６９５３９号公報（遊技制御回路基板７０が収納された基板収納ボックス５０を、遊技機の取付台８０に、基板収納ボックス５０の係合片５４を取付台８０の係合レール８１に係合することにより組み込むようにしたパチンコ遊技機が記載されている。段落【００１６】〜【００１８】及び図１，２の記載を参照。）に示されているようにパチンコ遊技機の技術分野においては従来から周知の技術であり、このような周知の技術を、刊行物に記載の発明に適用することについては、何ら阻害要因を認めることができないから、補正発明の相違点２に係る構成は、刊行物に記載の発明における制御回路基板（プリント基板27）の空間領域部（張り出し部21に固定した傾斜カバー25の裏側）への装着に、基板ボックスに収納した制御回路基板を基板装着箇所に形成された凹溝状のレール部に装着するというパチンコ遊技機の技術分野における周知の技術を適用することにより、当業者が容易に想到し得たものと認められる。
　　
３．作用効果・判断
　そして、補正発明によって奏する効果も、刊行物に記載の発明及びパチンコ遊技機の技術分野における周知の技術から、普通に予測できる範囲内のものであって、格別なものがあるとは認められないから、補正発明は、刊行物に記載の発明及びパチンコ遊技機の技術分野における周知の技術に基づき当業者が容易に発明をすることができたものと云わざるを得ない。
　したがって、補正発明は、特許法第２９条第２項の規定により、その特許出願の際に独立して特許を受けることができないものである。
　　
　　
〔３〕まとめ
　以上のように、本件補正は、平成１５年改正前特許法第１７条の２第５項の規定において読み替えて準用する同法第１２６条第４項の規定に違反するものであるから、同法第１５９条第１項の規定において読み替えて準用する同法第５３条第１項の規定により却下すべきものである。
　よって、上記［補正の却下の決定の結論］のとおり、決定する。
　　
　　
【３】本願発明について
〔１〕本願発明
　本願の請求項１〜３に係る発明は、平成１５年６月１６日受付けの手続補正が、上記のとおり却下されたので、平成１５年２月２１日受付けの手続補正書により補正された明細書及び図面の記載からみて、その特許請求の範囲の請求項１〜３に記載された事項により特定される以下のとおりのものと認める。
　「【請求項１】供給皿本体と該供給皿本体の前方部を覆う装飾カバー部材とから打球供給皿を構成し、前記装飾カバー部材を膨出形状として形成した空間領域部にパチンコ遊技を制御する制御回路基板を基板ボックスに収納して装着し、前記基板ボックスを装着した打球供給皿を前面枠の前面に設けるようにしたことを特徴とするパチンコ遊技機。
　【請求項２】（記載を省略する。）
　【請求項３】（記載を省略する。）」（請求項１に係る発明を、以下、「本願発明」という。）
　　
　　
〔２〕引用刊行物とそれに記載された事項
　これに対し、原査定における拒絶の理由で引用し、本願出願前に日本国内において頒布された引用刊行物の記載事項は、上記【２】〔２〕に記載したとおりである。
　　
　　
〔３〕対比・判断
　本願発明は、上記【２】で検討した補正発明における「空間領域部に形成された凹溝状のレール部に・・・装着し」との限定事項を、省略したものである。
　そうすると、本願発明の技術事項を全て含む補正発明が、上記【２】〔３〕に記載したとおり、刊行物に記載の発明及びパチンコ遊技機の技術分野における周知の技術に基づき当業者が容易に発明をすることができたものであるから、本願発明も、刊行物に記載の発明及びパチンコ遊技機の技術分野における周知の技術に基づき当業者が容易に発明できたものと云わざるを得ない。
　　
　　
〔４〕むすび
　したがって、本願発明は、刊行物に記載の発明及びパチンコ遊技機の技術分野における周知の技術に基づき当業者が容易に発明できたものであって、特許法第２９条第２項の規定により、特許を受けることができないものであり、本願の他の請求項に係る発明について検討するまでもなく、本願は拒絶すべきものである。
　よって、結論のとおり審決する。